(57)【要約】【課題】本体部と蓋部とを繰り返し固定することのできる収容容器を提供する。【解決手段】可撓性を有する樹脂からなる収容容器１は、上面が開口する直方体形状の本体部１０と、下面が開口する直方体形状の蓋部２０と、本体部１０に対して蓋部２０を開閉可能なように本体部１０及び蓋部２０の後側の一辺同士を連結するヒンジ部と、蓋部２０の前側の一辺から前方へと延び、少なくとも先端が基端より拡幅する舌片部４０と、本体部１０の前面１６Ａから前方に膨出する横断面矩形状の膨出部５０と、を有する。膨出部５０の先端面５０Ａには、蓋部２０を閉じた状態で撓ませた舌片部４０の中間４０Ｄが嵌合可能な第１の凹溝５０Ｂが形成され、膨出部５０の下面には、舌片部４０の中間４０Ｄが第１の凹溝５０Ｂに嵌合したときに舌片部４０の先端４０Ｅが嵌合する第２の凹溝が形成されている。【選択図】図２
2019099262.tif 000002
【特許請求の範囲】
【請求項１】
可撓性を有する樹脂からなり被収容物を収容する収容容器であって、
上面が開口する本体部と、
下面が開口する蓋部と、
前記本体部に対して前記蓋部を開閉可能に連結するヒンジ部と、
前記本体部及び前記蓋部の一方の周縁のうち、前記本体部及び前記蓋部の一方の開口を挟んで前記ヒンジ部と向かい合う部分から外方へと延び、少なくとも先端が基端より拡幅する舌片部と、
前記本体部及び前記蓋部の他方の周壁のうち、前記本体部及び前記蓋部の他方の開口を挟んで前記ヒンジ部と向かい合う部分から外方に膨出する膨出部と、
を有し、
前記膨出部の先端面には、前記蓋部を閉じた状態で撓ませた前記舌片部の中間が嵌合可能な第１の凹溝が形成され、
前記舌片部が前記第１の凹溝に嵌合したときに当該舌片部の先端側に位置する膨出部の面には、前記舌片部の先端が嵌合する第２の凹溝が形成された、
収容容器。
【請求項２】
前記第１の凹溝の底面には、突起及び窪みの一方が形成され、
前記舌片部の中間には、前記底面に形成された前記突起又は前記窪みに嵌合可能な窪み又は突起が形成された、
請求項１に記載の収容容器。
【請求項３】
前記舌片部の先端には、タブが形成された、
請求項１又は請求項２に記載の収容容器。
【請求項４】
前記本体部及び前記蓋部には、それぞれ、各開口縁から外方に延び出る鍔部が各開口の全周に亘って形成され、
前記舌片部は、前記本体部及び前記蓋部の一方の鍔部の周縁から外方に延び、
前記ヒンジ部は、前記本体部及び前記蓋部の各鍔部の周縁同士を連結する、
請求項１〜請求項３のいずれか１つに記載の収容容器。
【請求項５】
前記蓋部を閉じたときに各鍔部の互いに向かい合う面には、前記蓋部を閉じたときに相互に嵌合する凸部及び凹部がそれぞれ形成された、
請求項４に記載の収容容器。
【発明の詳細な説明】
【技術分野】
【０００１】
本発明は、果物や野菜などの物品を収容する収容容器に関する。
【背景技術】
【０００２】
果物や野菜などの物品を収容する収容容器としては、特許文献１（特開２００３−１９１９３７号公報）に記載された樹脂製の食品用容器が知られている。この食品用容器は、本体部と、本体部に連結部を介して一体化された蓋部と、本体部の前部の二隅に設けられた嵌合凹部と、蓋部の前部の二隅に設けられ蓋部を閉じたときに嵌合凹部に嵌合する嵌合凸部と、を含む。
【先行技術文献】
【特許文献】
【０００３】
【特許文献１】特開２００３−１９１９３７号公報
【発明の概要】
【発明が解決しようとする課題】
【０００４】
しかしながら、特許文献１に記載の食品用容器は、嵌合凹部を嵌合凸部に嵌合させることによって本体部と蓋部とを固定する構造であるため、嵌合時に嵌合凸部が潰れるおそれがあった。そのため、例えば、本体部と蓋部とを固定した後、店頭に陳列する前に傷んでいた野菜や果物などの物品を別のものと交換する必要が生じた場合には、本体部との固定を一度解除した蓋部を再び本体部に固定することができないおそれがあった。
【０００５】
そこで、本発明は、本体部と蓋部とを繰り返し固定することのできる収容容器を提供することを目的とする。
【課題を解決するための手段】
【０００６】
そのため、可撓性を有する樹脂からなり被収容物を収容する収容容器は、上面が開口する本体部と、下面が開口する蓋部と、本体部に対して蓋部を開閉可能に連結するヒンジ部と、本体部及び蓋部の一方の周縁のうち、本体部及び蓋部の一方の開口を挟んでヒンジ部と向かい合う部分から外方へと延び、少なくとも先端が基端より拡幅する舌片部と、本体部及び蓋部の他方の周壁のうち、本体部及び蓋部の他方の開口を挟んでヒンジ部と向かい合う部分から外方に膨出する膨出部と、を有し、膨出部の先端面には、蓋部を閉じた状態で撓ませた舌片部の中間が嵌合可能な第１の凹溝が形成され、舌片部が第１の凹溝に嵌合したときに舌片部の先端側に位置する膨出部の面には、舌片部の先端が嵌合する第２の凹溝が形成されている。
【発明の効果】
【０００７】
本発明によれば、本体部と蓋部とを繰り返し固定することができる。
【図面の簡単な説明】
【０００８】
【図１】本体部と蓋部とを固定した後の状態の収容容器の一例を示す斜視図である。
【図２】本体部と蓋部とを固定する前の状態の収容容器の一例を示す斜視図である。
【図３】図１の正面図である。
【図４】図３のＡ−Ａ線端面図である。
【図５】蓋部を開いた状態の収容容器の一例を示す正面図である。
【図６】図５の背面図である。
【図７】図５の右側面図である。
【図８】図５の平面図である。
【図９】図５の底面図である。
【図１０】図８のＢ−Ｂ線拡大断面図である。
【図１１】図９のＣ−Ｃ線拡大断面図である。
【図１２】本体部と蓋部とを固定する前の状態の収容容器の一例を示す要部拡大断面図である。
【図１３】本体部と蓋部とを固定した後の状態の収容容器の一例を示す要部拡大断面図である。
【図１４】図３の要部拡大図である。
【発明を実施するための形態】
【０００９】
以下、添付図面を参照しつつ本発明を実施するための実施形態について説明する。
まず、収容容器の構成について図１〜１１を参照して説明する。
【００１０】
収容容器１は、例えば、可撓性を有する樹脂からなり果物や野菜などの物品（被収容部）を収容する蓋付きのフードパックであり、下側に配置される本体部１０と、上側に配置される蓋部２０と、ヒンジ部３０と、舌片部４０と、膨出部５０とを有する。
【００１１】
尚、本明細書、特に図１〜４においては、便宜上、舌片部４０及び膨出部５０が設けられた側を収容容器１の前側と定義し、ヒンジ部３０が設けられた側を収容容器１の後側と定義する。
【００１２】
本体部１０、蓋部２０、ヒンジ部３０、舌片部４０及び膨出部５０は、例えば、可撓性を有すると共に透明な合成樹脂製の一枚のシートを用いて、真空成形、圧空成形、真空圧空成形又はプレス成形などにより一体形成されている。
【００１３】
合成樹脂としては、例えば、ポリエチレン若しくはポリプロピレンなどのオレフィン系プラスチック、ポリメタクリル酸メチル若しくはアクリロニトリル樹脂などのアクリル系プラスチック、ポリ塩化ビニル、ポリ酢酸ビニル、ポリビニルアルコール若しくはポリ塩化ビニリデンなどのビニル系プラスチック、ポリスチレン若しくはアクリロニトリル・スチレン樹脂などのスチレン系プラスチック、又は、ポリエチレンテレフタレートなどの芳香族ポリエステルなどが挙げられる。
【００１４】
本体部１０は、上面が開口する直方体形状の箱体である。より詳細には、本体部１０は、矩形状の底面１２と、底面１２の周縁から上方に延びる周壁１４と、を含む。周壁１４は、矩形状の開口１６を規定している（図８を参照）。
【００１５】
蓋部２０は、下面が開口する直方体形状の箱体である。より詳細には、蓋部２０は、矩形状の天板２２と、天板２２の周縁から下方に延びる周壁２４と、を含む。周壁２４は、矩形状の開口２６を規定している（図８を参照）。
【００１６】
但し、本体部１０及び蓋部２０のそれぞれは、直方体形状の箱体に限るものではなく、例えば、一面が開口する円柱形状若しくは楕円柱形状の箱体であってもよい。
【００１７】
尚、本明細書において、「直方体」とは、各面が完全な長方形（又はその一種である正方形）で構成され、隣接する面が直角に交わる完全な直方体（又は立方体）のみを意味するものではなく、角が丸みを帯びた「略直方体」（又は「略立方体」）の意味も含むものとする。これと同様に、本明細書において、「矩形」とは、隣接する辺が直角に交わる完全な矩形のみを意味するものではなく、角が丸みを帯びた「略矩形」の意味も含むものとする。
【００１８】
また、本体部１０には、その開口縁（周壁１４の上端）から外方に延び出る矩形状の第１の鍔部１８が開口１６の全周に亘って形成されている。
蓋部２０には、その開口縁（周壁２４の下端）から外方に延び出る矩形状の第２の鍔部２８が開口２６の全周に亘って形成されている。
【００１９】
第１の鍔部１８の周縁は、第１の鍔部１８を補強すべく、その全周に亘って下方に折り曲げられている。これと同様に、第２の鍔部２８の周縁は、第２の鍔部２８を補強すべく、その全周に亘って上方に折り曲げられている。
【００２０】
ヒンジ部３０は、本体部１０に対して蓋部２０を開閉可能に連結する。より詳細には、ヒンジ部３０は、本体部１０の開口１６と蓋部２０の開口２６とを向かい合わせた状態で視て、本体部１０（第１の鍔部１８）の後側の一辺と蓋部２０（第２の鍔部２８）の後側の一辺とを連結している（図４を参照）。
【００２１】
舌片部４０は、蓋部２０（第２の鍔部２８）の前側の一辺の略中央から前方へと延び、少なくとも先端が基端より拡幅している。ここで、上述したように、収容容器１は、可撓性を有する樹脂からなり、特に、舌片部４０は、その基端から先端にかけての複数箇所にて撓むようになっている。すなわち、舌片部４０は、蓋部２０の周縁（第２の鍔部２８）のうち、開口２６を挟んでヒンジ部３０と向かい合う部分から外方へと延び、少なくとも先端が基端より拡幅するものである。
【００２２】
舌片部４０は、その基端であって第２の鍔部２８との接続部を兼ねた第１のヒンジ部４０Ａと、第１のヒンジ部４０Ａから先端に向かって所定の距離を空けて設けられた第２のヒンジ部４０Ｂと、第２のヒンジ部４０Ｂから先端に向かって所定の距離を空けて設けられた第３のヒンジ部４０Ｃとを含む。舌片部４０の第１のヒンジ部４０Ａと第２のヒンジ部４０Ｂとの間には、幅方向に延びる補強用リブが突出形成されている（例えば、図９を参照）。また、第２のヒンジ部４０Ｂと第３のヒンジ部４０Ｃとの間には、平面視で矩形状の補強用リブが突出形成されている（例えば、図９を参照）。
【００２３】
第１のヒンジ部４０Ａと第２のヒンジ部４０Ｂとの間の長さは、第１の鍔部１８の折り曲げられた周縁の高さと第２の鍔部２８の折り曲げられた周縁の高さとを足し合わせた長さと略等しい。また、第２のヒンジ部４０Ｂと第３のヒンジ部４０Ｃとの間の長さは、第２の鍔部２８の前側の部分の奥行（前後方向の長さ）と略等しい。これにより、舌片部４０は、蓋部２０（第２の鍔部２８）から前方に延びた状態（図２、図７〜図９及び図１１を参照）と、詳細を後述するように第１、第２及び第３のヒンジ部４０Ａ〜４０Ｃを支点として第１の鍔部１８の下面から前面１４Ａにかけての形状に倣って撓んだ状態との間で変形可能となっている。
【００２４】
また、舌片部４０の中間であって第３のヒンジ部４０Ｃと先端との間には、基端の幅よりも拡幅した第１の拡幅部４０Ｄが設けられている。そして、舌片部４０の先端は、第１の拡幅部よりも更に拡幅する第２の拡幅部４０Ｅとなっている。
【００２５】
第１の拡幅部４０Ｄの周縁及び第２の拡幅部４０Ｅの周縁は、第１の拡幅部４０Ｄ及び第２の拡幅部４０Ｅの接続部を除き、側面視で上方に折り曲げられている（図２及び図７を参照）。
【００２６】
舌片部４０の中間（第１の拡幅部４０Ｄ）には、詳細を後述する突起５０Ｂ３（例えば、２つ）が嵌合可能な窪み４０Ｄ１が、例えば、２つ設けられている。
【００２７】
舌片部４０の先端（第２の拡幅部４０Ｅ）には、舌片部４０が蓋部２０から前方へと延びた状態において更に前方へと延びるタブ４０Ｆが設けられている。タブ４０Ｆは、平面視で略三角形状に形成されている。
【００２８】
膨出部５０は、例えば、本体部１０の周壁１４のうち、開口１６を挟んでヒンジ部３０と向かい合う部分、すなわち、周壁１４の前面１４Ａから外方（前方）に膨出する。膨出部５０は、より詳細には、前面１４Ａの一部を前方に膨出させると共に第１の鍔部１８の前側の面の一部を下方に膨出させることにより形成される。すなわち、膨出部５０は、第１の鍔部１８から前面１４Ａに亘って形成されている。
【００２９】
膨出部５０の先端面５０Ａの略中央には、上下方向に延びる第１の凹溝５０Ｂが形成されている。すなわち、第１の凹溝５０Ｂが形成された膨出部５０は、前後方向に垂直な横断面が矩形状且つ平面視略台形状の２つの突出部となっている。したがって、膨出部５０は、第１の鍔部１８から下方に窪んだ平面視略台形状の２つの凹部１８Ａ、１８Ｂを構成している（図４及び図８を参照）。
【００３０】
但し、膨出部５０及び凹部１８Ａ、１８Ｂは、必ずしも一体であることに限るものではなく、別体であってもよい。すなわち、膨出部５０が本体部１０の前面１４Ａに形成され、凹部１８Ａ、１８Ｂが第１の鍔部１８に形成されてもよい。また、膨出部５０の横断面は、矩形状に限るものではなく、例えば、円形状又は楕円形状であってもよい。
【００３１】
第１の鍔部１８の凹部１８Ａ、１８Ｂ間に位置する部分は、下方に窪んだ第１の平坦部１８Ｃとなっている（図８、図９及び図１０を参照）。第１の平坦部１８Ｃの深さは、凹部１８Ａ、１８Ｂの深さよりも浅くなっている。したがって、第１の凹溝５０Ｂの上端は、第１の平坦部１８Ｃの下面によって閉塞されている（図９及び図１０を参照）。
【００３２】
第１の凹溝５０Ｂの下端は、下方に向かって開口している（図２、図５及び図１０を参照）。この第１の凹溝５０Ｂには、蓋部２０を閉じた状態で撓ませた舌片部４０の中間（第１の拡幅部４０Ｄ）が嵌合するようになっている。ここで、第１の凹溝５０Ｂの幅（第１の凹溝５０Ｂの両側面５０Ｂ１間の長さ）は、例えば、舌片部４０の基端幅（及び第１のヒンジ部４０Ａと第３のヒンジ部４０Ｃとの間の幅）と略等しい。
【００３３】
第１の凹溝５０Ｂの底面５０Ｂ２には、前方へと突出して、舌片部４０の中間（第１の拡幅部４０Ｄ）に形成された上述の窪み４０Ｄ１に嵌合可能な突起５０Ｂ３が２つ形成されている。
【００３４】
膨出部５０の下面５０Ｃ、すなわち、開口１６の開口面に垂直な方向において当該開口面から最も離れた側の面には、左右方向に延びる第２の凹溝５０Ｄが形成されている。すなわち、第２の凹溝５０Ｄは、第１の凹溝５０Ｂに舌片部４０の中間（第１の拡幅部４０Ｄ）が嵌合したときに当該舌片部４０の先端側に位置する膨出部５０の面に形成されている。この第２の凹溝５０Ｄには、舌片部４０の先端（第２の拡幅部４０Ｅ）が嵌合するようになっている。また、第１の凹溝５０Ｂの両側面５０Ｂ１には、上下方向に延び下端にて第２の凹溝５０Ｄに連なる第３の凹溝５０Ｅが形成されている。
【００３５】
第１の凹溝５０Ｂの底面５０Ｂ２、並びに、第２の凹溝５０Ｄ及び第３の凹溝５０Ｅの各両側面のうち膨出部５０の基端側の側面は、本体部１０の前面１４Ａと面一であってよい。すなわち、第２の凹溝５０Ｄ及び第３の凹溝５０Ｅは、膨出部５０の基端側に配置されている（図９、１０を参照）。但し、これに限るものではなく、第２の凹溝５０Ｄ及び第３の凹溝５０Ｅは、膨出部５０の基端側と先端側との間に配置されてもよい。
【００３６】
また、第２の凹溝５０Ｄ及び第３の凹溝５０Ｅの各幅（両側面間の長さ）は、第１の拡幅部４０Ｄの周縁及び第２の拡幅部４０Ｅの周縁の折り曲げ長さと略等しい。
【００３７】
一方、第２の鍔部２８には、蓋部２０の開口２６側から視て上方に突出する２つの凸部２８Ａ、２８Ｂが形成されている（図５〜図７を参照）。凸部２８Ａ、２８Ｂは、蓋部２０を閉じたときに第１の鍔部１８の凹部１８Ａ、１８Ｂに嵌合する。すなわち、凸部２８Ａ、２８Ｂは、蓋部２０の天板２２側から視た場合に、下方に窪んだ凹部２８Ｃ、２８Ｄを構成している（図１、図４及び図１１を参照）。
【００３８】
第２の鍔部２８の凹部２８Ｃ、２８Ｄ間に位置する部分は、下方に窪んだ第２の平坦部２８Ｅとなっている（図８、図９及び図１１を参照）。第２の平坦部２８Ｅの深さは、凹部２８Ｃ、２８Ｄの深さよりも浅くなっている。第２の平坦部２８Ｅの上面の略中央には、蓋部２０の周壁２４の前面２４Ａから舌片部４０の基端に向かって延びる補強用のリブ２８Ｆが形成されている（図１、図２及び図９を参照）。
【００３９】
以上の構成を有する収容容器１における本体部１０と蓋部２０との固定構造について、図１２〜図１４を参照して詳細に説明する。
図１２は、本体部１０と蓋部２０とを固定する前の状態を示す要部拡大断面図、図１３は、本体部１０と蓋部２０とを固体した後の状態を示す要部拡大断面図、図１４は、図３の要部拡大図である。
【００４０】
図１２において、蓋部２０は本体部１０の開口１６を覆うように閉じられている。このとき、第１の鍔部１８の下面と第２の鍔部２８の上面とは、互いに突き合わせられる。また、凸部２８Ｂ（２８Ａ）が凹部１８Ｂ（１８Ａ）に嵌合している（入り込んでいる）。この状態で蓋部２０を本体部１０に対して左右方向にスライドさせようとすると、凸部２８Ａ、２８Ｂを規定する各側面が凹部１８Ａ、１８Ｂを規定する各側面と当接する。これにより、本体部１０に対する蓋部２０の左右方向の位置ずれが抑制される。
【００４１】
そして、図１３及び図１４に示すように、舌片部４０を、第１、第２及び第３のヒンジ部４０Ａ〜４０Ｃを支点として第１の鍔部１８（第１の平坦部１８Ｃの下面と面一な面）から前面１４Ａ（第１の凹溝５０Ｂの底面５０Ｂ２）にかけての形状に倣って撓ませる。このとき、舌片部４０の中間（第１の拡幅部４０Ｄ）は、第１の凹溝５０Ｂにその下方から上方に向かって入り込んでいる（挿入されている）。より詳細には、第１の拡幅部４０Ｄの両側部が第３の凹溝５０Ｅにその下方から上方に向かって挿入されると共に、窪み４０Ｄ１が突起５０Ｂ３に嵌合している。また、舌片部４０の先端（第２の拡幅部４０Ｅ）は、第２の凹溝５０Ｄにその下方から上方に向かって挿入されている。すなわち、舌片部４０の中間が、第１の凹溝５０Ｂに嵌合し、舌片部４０の先端が、第２の凹溝５０Ｄに嵌合している。これにより、本体部１０と蓋部２０とが、収容容器１の内部に野菜や果物などの物品を収容しつつ蓋部２０を閉じた状態で固定される。
【００４２】
以上説明した収容容器１においては、舌片部４０の中間（第１の拡幅部４０Ｄ）を第１の凹溝５０Ｂにその下方から上方に向かって挿入することで嵌合させ、舌片部４０の先端（第２の拡幅部４０Ｅ）を第２の凹溝５０Ｄにその下方から上方に向かって挿入することで嵌合させている。これにより、蓋部２０を閉じた状態で本体部１０と蓋部２０とが固定される。一方、蓋部２０を開く際には、舌片部４０を、その下方に引っ張ることで第１〜第３の凹溝５０Ｂ、５０Ｄ、５０Ｅから取り外すことにより、本体部１０と蓋部２０との固定が解除される。また、本体部１０と蓋部２０とは、舌片部４０を第１〜第３の凹溝５０Ｂ、５０Ｄ、５０Ｅに挿入することにより再度固定される。したがって、本体部１０と蓋部２０とを繰り返し固定することができる。
【００４３】
ここで、例えば、舌片部４０の先端（第２の拡幅部４０Ｅ）が第２の凹溝５０Ｄに嵌合した状態において蓋部２０を把持して上方に持ち上げようとするとき、第２の拡幅部４０Ｅには上方に向かう力が作用する。このとき、第２の拡幅部４０Ｅが第２の凹溝５０Ｄを規定する底面及び両側面に当接する。すなわち、第２の拡幅部４０Ｅは、第２の凹溝５０Ｄに引っかかるので、本体部１０と蓋部２０との固定を解除しにくくすることが可能となる。
【００４４】
また、図１３及び図１４に示す固定状態においては、第１の拡幅部４０Ｄの両側部が第３の凹溝５０Ｅの両側面によって前後方向に挟み込まれ、舌片部４０の窪み４０Ｄ１が第１の凹溝５０Ｂの突起５０Ｂ３に嵌合している。これにより、第１の拡幅部４０Ｄが第１の凹溝５０Ｂに強固に嵌合固定される。
【００４５】
また、本体部１０と蓋部２０とが固定された状態において、舌片部４０を下方に引っ張ると窪み４０Ｄ１が下方に移動して、窪み４０Ｄ１と突起５０Ｂ３との嵌合が解除される。ここで、収容容器１が、例えば、比較的強度の高いポリエチレンテレフタレート（ＰＥＴ）などで形成されている場合には、本体部１０と蓋部２０とを固定する際やこの固定を解除する際における窪み４０Ｄ１及び突起５０Ｂ３の潰れが抑制される。
【００４６】
ここで、図１４に示すように、本体部１０と蓋部２０とが固定された状態において、舌片部４０の先端に形成されたタブ４０Ｆが膨出部５０の下方に突出している。したがって、蓋部２０を開けたい場合には、図１４に示す状態において使用者がタブ４０Ｆを摘まんで下方に引っ張ることにより、本体部１０と蓋部２０との固定を容易に解除することができる。
【００４７】
さらに、以上説明した収容容器１は、可撓性を有する樹脂からなる。また、収容容器１は、蓋部２０（第２の鍔部２８）の前側の一辺の一部に設けられた舌片部４０と第１〜第３の凹溝５０Ｂ、５０Ｄ、５０Ｅとによって本体部１０と蓋部２０とが固定される構造を有している。これにより、蓋部２０の左右両側が舌片部４０の基端を支点として上方に撓んだ状態で本体部１０と蓋部２０とを固定することが可能となる。したがって、収容容器１は、例えば、被収容物の高さが収容容器１の高さよりわずかに高く、蓋部２０が完全に閉じない状況であっても、第１の鍔部１８と第２の鍔部２８との間に微少な隙間が空いた状態で収容物を収容することができる。
【００４８】
また、収容容器１は、上述したように、一枚の薄肉合成樹脂製のシートを用いて、真空成形、圧空成形、真空圧空成形又はプレス成形などにより形成されており、穴開け加工などを行う必要がない。したがって、収容容器１の製造過程において、穴開け加工などにより生じ得る異物などが内部に混入することを抑制することができる。
【００４９】
尚、以上の説明では、本体部１０及び蓋部２０のそれぞれに第１の鍔部１８及び第２の鍔部２８が設けられているが、これに限るものではない。すなわち、第１の鍔部１８及び第２の鍔部２８を設けなくてもよい。この場合、舌片部４０は、前面２４Ａの下端から前方に延びるように設けられてもよい。
【００５０】
また、以上の説明では、舌片部４０を蓋部２０（第２の鍔部２８）に設け、第１〜第３の凹溝５０Ｂ、５０Ｄ、５０Ｅが形成された膨出部５０を本体部１０に設けたが、これに限るものではない。すなわち、舌片部４０を本体部１０に設け、膨出部５０を蓋部２０に設けてもよい。この場合、舌片部４０の中間は、第１の凹溝５０Ｂにその上方から下方に向かって入り込むことで嵌合し、舌片部４０の先端は、第２の凹溝５０Ｄにその上方から下方に向かって入り込むことで嵌合する。要するに、舌片部４０が本体部１０及び蓋部２０の一方に設けられた場合に、本体部１０及び蓋部２０の他方に設けられた膨出部５０の先端面５０Ａには、上下方向に延びる第１の凹溝５０Ｂが形成される。そして、蓋部２０を閉じた状態で撓ませた舌片部４０の中間（第１の拡幅部４０Ｄ）は、第１の凹溝５０Ｂに嵌合可能となっている。また、舌片部４０の中間が第１の凹溝５０Ｂに嵌合したときに舌片部４０の先端側に位置する膨出部５０の面には、本体部１０及び蓋部２０の他方から一方に向かう方向に窪んだ第２の凹溝５０Ｄが形成される。したがって、舌片部４０の先端（第２の拡幅部４０Ｅ）は、第２の凹溝５０Ｄに対して本体部１０及び蓋部２０の他方から一方に向かう方向に挿入される。これにより、本体部１０の開口１６を蓋部２０によって閉じた状態に保持することが可能となる。
【００５１】
また、以上説明した収容容器１において、第１の拡幅部４０Ｄの幅を基端幅と同一とし、窪み４０Ｄ１、突起５０Ｂ３及び第３の凹溝５０Ｅを設けなくてもよい。この場合において、収容容器１は、第２の拡幅部４０Ｅが第２の凹溝５０Ｄに嵌合しているので、本体部１０に固定された蓋部２０を開くべく上方に持ち上げようとしても本体部１０と蓋部２０との固定を容易に解除しにくい構造となっている。要するに、第２の拡幅部４０Ｅが第２の凹溝５０Ｄに嵌合していれば本体部１０と蓋部２０とを十分に固定することができる。したがって、第１の拡幅部４０Ｄ及び第３の凹溝５０Ｅがない場合や使用中に窪み４０Ｄ１及び突起５０Ｂ３が潰れた場合であっても、本体部１０と蓋部２０とを繰り返し固定することができる。
【００５２】
また、凹部１８Ａ、１８Ｂを本体部１０の第１の鍔部１８に設け、凸部２８Ａ、２８Ｂを蓋部２０の第２の鍔部２８に設けたが、これに限るものではない。例えば、凹部１８Ａ、１８Ｂを蓋部２０の第２の鍔部２８に設け、凸部２８Ａ、２８Ｂを本体部１０の第１の鍔部１８に設けてもよい。すなわち、凹部１８Ａ、１８Ｂ及び凸部２８Ａ、２８Ｂは、それぞれ、蓋部２０を閉じたときに第１の鍔部１８及び第２の鍔部２８の互いに向かい合う面（上述の例では、各鍔部１８、２８の互いに向かい合う面のうち各開口１６、２６を挟んでヒンジ部３０と向かい合う部分）に形成され、蓋部２０を閉じたときに相互に嵌合するものであればよい。尚、凹部１８Ａ、１８Ｂ及び凸部２８Ａ、２８Ｂのそれぞれは、必ずしも２つ形成されることに限るものではなく、１つ形成されてもよいし、３つ以上形成されてもよい。
【００５３】
さらに、舌片部４０及び膨出部５０（の第１〜３の凹溝５０Ｂ、５０Ｄ、５０Ｅ）は、収容容器１の前側のみに一組設けられているが、これに限るものではく、例えば、収容容器１の前側に複数組設けてもよい。また、舌片部４０及び膨出部５０は、例えば、収容容器１の前側に加えて左右両側の少なくとも一方に一組又は複数組ずつ設けられてもよい。
【００５４】
また、窪み４０Ｄ１が舌片部４０の中間（第１の拡幅部４０Ｄ）に形成され、突起５０Ｂ３が第１の凹溝５０Ｂの底面５０Ｂ２に形成されているが、これに限るものではなく、窪み４０Ｄ１が第１の凹溝５０Ｂの底面５０Ｂ２に形成され、突起５０Ｂ３が舌片部４０の中間に形成されてもよい。尚、窪み４０Ｄ１及び突起５０Ｂ３を、それぞれ、２つずつ設けたが、これに限るものではなく、１つ又は３つ以上設けてもよい。
【００５５】
以上、本発明の好ましい実施形態及びその変形例について説明したが、本発明は上記各実施形態に制限されるものではなく、本発明の技術的思想に基づいて種々の変形及び変更が可能である。
【符号の説明】
【００５６】
１  収容容器
１０  本体部
１４Ａ  前面
１６  開口
１８  第１の鍔部
１８Ａ、１８Ｂ  凹部
２０  蓋部
２６  開口
２８  第２の鍔部
２８Ａ、２８Ｂ  凸部
３０  ヒンジ部
４０  舌片部
４０Ｄ  第１の拡幅部（中間）
４０Ｄ１  窪み
４０Ｅ  第２の拡幅部（先端）
４０Ｆ  タブ
５０  膨出部
５０Ａ  先端面
５０Ｂ  第１の凹溝
５０Ｂ２  底面
５０Ｂ３  突起
５０Ｃ  下面
５０Ｄ  第２の凹溝
【図１】
2019099262.tif 000003
【図２】
2019099262.tif 000004
【図３】
2019099262.tif 000005
【図４】
2019099262.tif 000006
【図５】
2019099262.tif 000007
【図６】
2019099262.tif 000008
【図７】
2019099262.tif 000009
【図８】
2019099262.tif 000010
【図９】
2019099262.tif 000011
【図１０】
2019099262.tif 000012
【図１１】
2019099262.tif 000013
【図１２】
2019099262.tif 000014
【図１３】
2019099262.tif 000015
【図１４】
2019099262.tif 000016